(57)【特許請求の範囲】
【請求項１】
一方の面の部位に印刷した印刷部を有する帯状部材をロール状に巻き取る巻き取り方
法であって、
前記帯状部材の前記印刷部と前記印刷部に対向する前記帯状部材の部位とが接触する
のを防止する透明又は半透明又は前記帯状部材の原反の生地と同色の接触阻止部材を前記
帯状部材に設け、前記接触阻止部材を介して前記帯状部材がロール状に巻き取られている
ものであり、前記接触阻止部材は、前記印刷部の周囲を連続又は不連続に環状に囲んだものであり、
前記印刷部の前記帯状部材からの厚みｈは、前記接触阻止部材の前記帯状部材からの厚みＨ（Ｈ＞ｈ）である
ことを特徴とする巻き取り方法。
【請求項２】
一方の面の部位に印刷した印刷部を有する帯状部材をロール状に巻き取ったロール状
部材であって、
前記帯状部材の前記印刷部と前記印刷部に対向する前記帯状部材の部位とが接触する
のを防止する透明又は半透明又は前記帯状部材の原反の生地と同色の接触阻止部材を前記
帯状部材に設け、前記接触阻止部材を介して前記帯状部材がロール状に巻き取られている
ものであり、前記接触阻止部材は、前記印刷部の周囲を連続又は不連続に環状に囲んだものであり、
前記印刷部の前記帯状部材からの厚みｈは、前記接触阻止部材の前記帯状部材からの厚みＨ（Ｈ＞ｈ）である
ことを特徴とするロール状部材。
【発明の詳細な説明】
【技術分野】
【０００１】
本発明は、ロール状部材及び巻き取り方法に係り、特に、印刷部のインキの転写防止を図ったロール状部材及び巻き取り方法に関する。
【背景技術】
【０００２】
外側に外面シート、内側に内面シート、この内面シートと前記外面シートとの間に吸収体を有するおむつがあり（例えば、特許文献参照）、上記外面シートにキャラクタ、模様等を印刷している。
また、おむつの製造過程において、外面シートに用いられる「キャラクタ、模様等を印刷したシート状部材（帯状部材）」をロール状に巻き取る必要がある。
【先行技術文献】
【特許文献】
【０００３】
【特許文献１】特開2018-68322号公報
【発明の概要】
【発明が解決しようとする課題】
【０００４】
ところが、「キャラクタ、模様等を印刷したシート状部材（帯状部材）」をロール状に巻き取ると、シート状部材（帯状部材）が非常に薄いこともあって、印刷した部位に当接するシート状部材（帯状部材）にインキが転写し、見栄えが良くないという問題点が生じた。
【０００５】
本発明は、上記問題点を除去するようにしたロール状部材及び巻き取り方法を提供することを目的とする。
【課題を解決するための手段】
【０００６】
請求項１記載の巻き取り方法は、一方の面の部位に印刷した印刷部を有する帯状部材をロール状に巻き取る巻き取り方法であって、前記帯状部材の前記印刷部と前記印刷部に対向する前記帯状部材の部位とが接触するのを防止する透明又は半透明又は前記帯状部材の原反の生地と同色の接触阻止部材を前記帯状部材に設け、前記接触阻止部材を介して前記帯状部材がロール状に巻き取られているものであり、前記接触阻止部材は、前記印刷部の周囲を連続又は不連続に環状に囲んだものであり、前記印刷部の前記帯状部材からの厚みｈは、前記接触阻止部材の前記帯状部材からの厚みＨ（Ｈ＞ｈ）である。
【００１０】
また、請求項２記載のロール状部材は、一方の面の部位に印刷した印刷部を有する帯状部材をロール状に巻き取ったロール状部材であって、前記帯状部材の前記印刷部と前記印刷部に対向する前記帯状部材の部位とが接触するのを防止する透明又は半透明又は前記帯状部材の原反の生地と同色の接触阻止部材を前記帯状部材に設け、前記接触阻止部材を介して前記帯状部材がロール状に巻き取られているものであり、前記接触阻止部材は、前記印刷部の周囲を連続又は不連続に環状に囲んだものであり、前記印刷部の前記帯状部材からの厚みｈは、前記接触阻止部材の前記帯状部材からの厚みＨ（Ｈ＞ｈ）である。
【発明の効果】
【００１４】
請求項１記載の巻き取り方法によれば、帯状部材の印刷部と前記印刷部に対向する前記帯状部材の部位とが接触するのを防止する透明又は半透明又は、前記帯状部材の原反の生地と同色の接触阻止部材を前記帯状部材に設け、前記接触阻止部材を介して前記帯状部材がロール状に巻き取られているため、帯状部材の印刷部のインキが前記印刷部に対向する前記帯状部材の部位への転写を防ぐことができる。
【００１５】
また、請求項１記載の巻き取り方法によれば、接触阻止部材は、印刷部の周囲を連続又は不連続に環状に囲んだものであり、前記印刷部の帯状部材からの厚みｈは、前記接触阻止部材の前記帯状部材からの厚みＨ（Ｈ＞ｈ）であるという簡易な手段により、帯状部材の印刷部のインキが前記印刷部に対向する前記帯状部材の部位への転写を防ぐことができる。
【００１８】
また、請求項２記載のロール状部材によれば、帯状部材の印刷部と前記印刷部に対向
する前記帯状部材の部位とが接触するのを防止する透明又は半透明又は、前記帯状部材の
原反の生地と同色の接触阻止部材を前記帯状部材に設け、前記接触阻止部材を介して前記
帯状部材がロール状に巻き取られているため、帯状部材の印刷部のインキが前記印刷部に
対向する前記帯状部材の部位への転写を防ぐことができる。
【００１９】
また、請求項２記載のロール状部材によれば、接触阻止部材は、印刷部の周囲を連続
又は不連続に環状に囲んだものであり、前記印刷部の帯状部材からの厚みｈは、前記接触
阻止部材の前記帯状部材からの厚みＨ（Ｈ＞ｈ）であるという簡易な手段により、帯状部
材の印刷部のインキが前記印刷部に対向する前記帯状部材の部位への転写を防ぐことがで
きる。
【図面の簡単な説明】
【００２２】
【図１】図１は、本願発明の一実施例のロール状部材を撮影した写真である。
【図２】図２は、図１のロール状部材の帯状形状の長手方向に沿って切断した概略的断面図である。
【図３】図３は、図２の概略的平面図である。
【図４】図４は、図１のロール状部材の長手方向に沿って切断した概略的断面図である。
【図５】図５は、図１のロール状部材の長手方向を直交する幅方向に沿って切断した概略的断面図である。
【発明を実施するための形態】
【００２３】
本発明の一実施例のロール状部材及び巻き取り方法を図１乃至図５を参照して説明する。
【００２４】
図１に示すＲはロール状部材で、ロール状部材Ｒを構成する帯状部材１は、外側に向けられる外面シートと、内側に向けられる液透過性の内面シートと、前記外面シートと内面シートとの間に位置する吸収層とを有する紙おむつにあって、例えば、この紙おむつの外側の外面シートに用いられるもので、材質は、例えば、ポリオレフィン、ポリエステル不織布（又は、紙）等である。
【００２５】
ロール状部材Ｒは、一方の面１Ａの部位に印刷した印刷部２を有する帯状部材１をロール状に巻き取ったもので、印刷部２は、キャラクタ、三角、丸等の図形、文字、数字、模様等を印刷したものである。印刷は、例えば、版の凸部にインキを紙、帯状部材に転写する「フレキソ印刷」「グラビア印刷」等で、インキは、例えば、市販されている水性フレキソインキ、油性（有機溶剤型）フレキソインキ、水性グラビアインキ、油性（有機溶剤型）グラビアインキ等が用いられる。
また、図２に示す３は透明な接触阻止部材で、例えば、市販されている水性フレキソワニスが用いられる。
即ち、図５に示すように、帯状部材１の印刷部２と印刷部２に対向する帯状部材１の部位とが接触するのを防止する透明な接触阻止部材３を帯状部材１に設け、接触阻止部材３を介して帯状部材１がロール状に巻き取られている。なお、接触阻止部材３は、透明に限らず、半透明又は帯状部材１の原反の生地と同色（例えば、帯状部材１の原反の生地の色が白色であれば、接触阻止部材３は白色である。）でも良い。
【００２６】
従って、一方の面１Ａの部位に印刷した印刷部２を有する帯状部材１をロール状に巻き取る巻き取り方法（又は、一方の面１Ａの部位に印刷した印刷部２を有する帯状部材１をロール状に巻き取ったロール状部材Ｒ）によれば、帯状部材１の印刷部２と印刷部２に対向する帯状部材１の部位とが接触するのを防止する透明又は半透明又は帯状部材１の原反の生地と同色の接触阻止部材３を帯状部材１に設け、接触阻止部材３を介して帯状部材１がロール状に巻き取られているため、帯状部材１の印刷部２のインキが印刷部２に対向する帯状部材１の部位への転写を防ぐことができる。
【００２７】
接触阻止部材３は、例えば、図３に示すように、印刷部２の周囲を連続に環状に囲んだものである。なお、図示では、接触阻止部材３は、印刷部２の周囲を連続に環状に囲んでいるが、印刷部２の周囲を不連続に環状に囲むようにしても良い。
また、印刷部２の帯状部材１からの厚みｈ［例えば、ｈは、１μｍ（ミクロン）］は、接触阻止部材３の帯状部材１からの厚みＨ（Ｈ＞ｈ）［例えば、Ｈは、１．５μｍ（ミクロン）］である。
このように、接触阻止部材３は、印刷部２の周囲を連続または不連続に環状に囲んだものであり、印刷部２の帯状部材１からの厚みｈは、接触阻止部材３の帯状部材１からの厚みＨ（Ｈ＞ｈ）であるという簡易な手段により、帯状部材１の印刷部２のインキが印刷部２に対向する帯状部材１の部位への転写を防ぐことができる。
【００２８】
要するに、ロール状に巻かれた帯状部材１の幅方向の断面（ロール状に巻かれた帯状部材１の長手方向を直交する幅方向の断面）において、印刷部２の両側に接触阻止部材３が位置し（図５参照）、印刷部２の帯状部材１からの厚みｈは、接触阻止部材３の帯状部材１からの厚みＨ（Ｈ＞ｈ）であれば良い。この場合、接触阻止部材３を一方の面１Ａ（一方の面を表面とすれば、）、つまり、印刷部２と同じ面（表面）に設けても良いが、接触阻止部材３を印刷部２と異なる他方の面（一方の面１Ａを表面とすれば、他方の面１Ｂは、裏面である。）に設けても良い。
【００２９】
また、印刷部２と接触阻止部材３との間に隙間がなく接触していると、印刷部２のインキが接触阻止部材３を介して、接触阻止部材３に当接する帯状部材１の部位へ転写する不具合を有するが、本実施例の巻き取り方法（ロール状部材Ｒ）によれば、印刷部２と接触阻止部材３との間に隙間４（例えば、０．５μｍ〜１．０μｍ）を有して並設されているため、前記不具合を防ぐことができる。
【符号の説明】
【００３０】
Ｒ        ロール状部材
１        帯状部材
１Ａ      一方の面
２        印刷部
３        接触阻止部材
４        隙間
【要約】
【課題】
本発明の目的は、印刷部のインキの転写防止を図ったロール状部材及び巻き取り方法を提供するものである。
【解決手段】
巻き取り方法は、 一方の面１Ａの部位に印刷した印刷部２を有する帯状部材１をロール状に巻き取る巻き取り方法であって、帯状部材１の印刷部２と印刷部２に対向する帯状部材１の部位とが接触するのを防止する透明又は半透明又は、帯状部材１の原反の生地と同色の接触阻止部材３を帯状部材１に設け、接触阻止部材３を介して帯状部材１がロール状に巻き取られているものである。
【選択図】図２【図１】
0006935114.tif 000002
【図２】
0006935114.tif 000003
【図３】
0006935114.tif 000004
【図４】
0006935114.tif 000005
【図５】
0006935114.tif 000006